(57)【特許請求の範囲】
【請求項１】
天板上の被検体にコーン状Ｘ線ビームを照射するＸ線管およびＸ線検出素子が縦横に配列されている透過Ｘ線検出用のＸ線面検出器を具備するＸ線撮像手段と、Ｘ線撮像手段を駆動するＸ線系駆動手段と、ＣＴ撮影モードで駆動されるＸ線撮像手段のＸ線面検出器から出力される透過Ｘ線検出データに基づきＸ線ＣＴ画像作成用の再構成処理を行う画像再構成手段と、Ｘ線画像を表示する画像表示手段とを備えているＸ線ＣＴ装置において、ＣＴ撮影モードで駆動されるＸ線撮像手段のＸ線面検出器から出力される透過Ｘ線検出データに基づきＸ線透過画像を得て画像表示手段に表示する透過画像撮影手段と、透過画像撮影手段により得られるＸ線透過画像にＸ線ＣＴ撮影の際の再構成エリアを重畳表示する再構成エリア重畳手段とを備えていることを特徴とするＸ線ＣＴ装置。
【請求項２】
請求項１に記載のＸ線ＣＴ装置において、再構成エリアが重畳表示されたＸ線透過画像の画面上でＸ線ＣＴ画像作成対象の断面の位置を指定する撮影断面指定手段をも備えているＸ線ＣＴ装置。
【発明の詳細な説明】
【０００１】
【発明の属する技術分野】
この発明は、被検体のＸ線ＣＴ撮影（任意断面のＸ線コンピュータ断層撮影）を行うＸ線ＣＴ装置に係り、特にＸ線ＣＴ撮影の際の再構成エリアを予め正確に把握できるようにするための技術に関する。
【０００２】
【従来の技術】
現在、病院等で盛んに使われているＸ線ＣＴ装置は、図１４に示すように、ファン状Ｘ線ビーム（扇形状Ｘ線ビーム）ＦＢを照射するＸ線管４１とＸ線検出素子４２が１列ないし数列でＸ線ビームの広がりに沿って並ぶよう配列されたＸ線ライン検出器４３とをＸ線管４１とＸ線ライン検出器４３が被検体Ｍを間にして常に対向配置となるよう装備したＸ線撮像部４４を備え、Ｘ線ＣＴ撮影実行の際、Ｘ線管４１とＸ線ライン検出器４３とが被検体Ｍのまわりを回転するとともに、Ｘ線管４１によるファン状Ｘ線ビームＦＢの照射に伴ってＸ線ライン検出器４３から出力される透過Ｘ線検出データに基づきＸ線ＣＴ画像作成用の再構成処理が行われるよう構成されている。
【０００３】
ただ、図１４のＸ線ＣＴ装置の場合、ファン状Ｘ線ビームＦＢの幅が極く狭いので、広範囲のＸ線ＣＴ撮影に必要な透過Ｘ線検出データを収集するためには、Ｘ線撮像部４４を被検体Ｍの体軸方向に変位させて、被検体Ｍのまわりを何度も回転しなければならない結果、必然的に撮影時間が長くなる。
そこで、ファン状Ｘ線ビームＦＢの代わりに幅の広いコーン状Ｘ線ビームを用いるとともに、Ｘ線ライン検出器４３の代わりにＸ線検出素子が縦横に配列されている検出面の広いＸ線面検出器（Ｘ線面センサ）を用い、撮影対象の関心部位を幅広のコーン状Ｘ線ビームで一挙照射する一方、関心部位からの透過Ｘ線も検出面の広いＸ線面検出器で一挙検出するように構成したＸ線ＣＴ撮影装置が検討されている。このコーン状Ｘ線ビーム方式の装置によれば、Ｘ線撮像部が被検体Ｍのまわりを１回転すれば、広範囲の透過Ｘ線検出データが得られるので撮影時間を大幅に短縮することが可能となる。
【０００４】
【発明が解決しようとする課題】
しかしながら、上記のコーン状Ｘ線ビーム方式のＸ線ＣＴ撮影装置には、ファン状Ｘ線ビーム方式のＸ線ＣＴ撮影装置に比べると、Ｘ線ＣＴ撮影を実行する場合、再構成エリアを予め把握することが難しいという問題がある。
Ｘ線ＣＴ撮影の場合、被検体の体軸周りから照射される全Ｘ線ビームの重複する部分が任意断面のＸ線ＣＴ画像が得られる再構成エリア、すなわち撮影範囲となる。したがって、撮影を開始する前に、再構成エリアを十分に把握して撮影対象の関心部位が再構成エリアにきっちり納まっていることを確認する必要がある。しかし、コーン状Ｘ線ビーム方式のＸ線ＣＴ撮影装置の場合、再構成エリアを予め把握し難いので、撮影が済んでみると、撮影対象の関心部位が再構成エリアから外れてしまっていて、所望の断面のＸ線ＣＴ画像が得られていなかった、という不都合が起こる心配がある。
【０００５】
この発明は、上記の事情に鑑み、Ｘ線ＣＴ撮影の際の再構成エリアを予め正確に把握することができるコーン状Ｘ線ビーム方式のＸ線ＣＴ撮影装置を提供することを課題とする。
【０００６】
【課題を解決するための手段】
上記課題を達成するため、この発明のＸ線ＣＴ装置は、天板上の被検体にコーン状Ｘ線ビームを照射するＸ線管およびＸ線検出素子が縦横に配列されている透過Ｘ線検出用のＸ線面検出器を具備するＸ線撮像手段と、Ｘ線撮像手段を駆動するＸ線系駆動手段と、ＣＴ撮影モードで駆動されるＸ線撮像手段のＸ線面検出器から出力される透過Ｘ線検出データに基づきＸ線ＣＴ画像作成用の再構成処理を行う画像再構成手段と、Ｘ線画像を表示する画像表示手段とを備えているＸ線ＣＴ装置において、ＣＴ撮影モードで駆動されるＸ線撮像手段のＸ線面検出器から出力される透過Ｘ線検出データに基づきＸ線透過画像を得て画像表示手段に表示する透過画像撮影手段と、透過画像撮影手段により得られるＸ線透過画像にＸ線ＣＴ撮影の際の再構成エリアを重畳表示する再構成エリア重畳手段とを備えている。
【０００７】
また、請求項２の発明は、請求項１に記載のＸ線ＣＴ装置において、再構成エリアが重畳表示されたＸ線透過画像の画面上でＸ線ＣＴ画像作成対象の断面の位置を指定する撮影断面指定手段をも備えている。
【０００８】
〔作用〕
次に、この発明のＸ線ＣＴ装置によりＸ線撮影を実行する際の作用について説明する。
この発明の装置によるＸ線ＣＴ撮影の場合、先ずＸ線透過撮影（単純Ｘ線撮影）により再構成エリアを確認するためのＸ線透過画像を得る。すなわちＸ線撮像手段を透過撮影モードで駆動して適当な位置に停めた状態でＸ線管から被検体へコーン状Ｘ線ビームを照射する一方、Ｘ線面検出器によって透過Ｘ線像を検出するとともに、透過画像撮影手段により、Ｘ線面検出器から出力される透過Ｘ線検出データに基づきＸ線透過画像を得て画像表示手段に表示する。そして、この時、この発明のＸ線ＣＴ装置の場合、再構成エリア重畳手段により、Ｘ線透過画像にＸ線ＣＴ撮影の際の再構成エリアが重ねて同時表示（重畳表示）されるのである。
【０００９】
ファン状Ｘ線ビームによるＸ線ＣＴ撮影の場合と違い、コーン状Ｘ線ビームによるＸ線ＣＴ撮影の場合は、撮影中心の周りから照射されるＸ線ビームが全て重なり合う重畳区域だけが再構成エリア（つまり撮影範囲）となる。被検体の体軸のまわりから照射されるコーン状Ｘ線ビームが全て重なる再構成エリアはガントリ中心（撮影中心）を中心として表面がコーン状Ｘ線ビームに内接する球の内側全域であり、Ｘ線透過画像に重畳された時は再構成エリアは円の形となって画像中に出現することになる。
【００１０】
そこで、オペレータは再構成エリアが重畳表示されたＸ線透過画像の上で撮影対象の関心部位が再構成エリアの中にあるか否かをチェックし、関心部位が再構成エリアの中にあれば、Ｘ線ＣＴ撮影へ移行する。しかし、もし関心部位が再構成エリアから外れておれば、オペレータは被検体の関心部位が再構成エリアの中に入るよう被検体を移動させて再びＸ線透過画像を得て上のチェックを繰り返すことになる。
このように、この発明の装置の場合、撮影対象の関心部位が再構成エリア内にあることを予め確認してからＸ線ＣＴ撮影が実行されることから、所望の断面のＸ線ＣＴ画像が確実に得られる。
【００１１】
また、この発明の装置によるＸ線ＣＴ撮影の場合、やはり、撮影対象の関心部位に幅の広いコーン状Ｘ線ビームが一挙に照射されるとともに、関心部位からの透過Ｘ線もＸ線面検出器の広い検出面で一挙に検出されるので、広範囲の透過Ｘ線検出データが迅速に収集される結果、撮影時間が短くて済む。
【００１２】
また、請求項２の発明のＸ線ＣＴ装置では、オペレータが、撮影断面指定手段により、再構成エリアが重畳表示されたＸ線透過画像の画面上でＸ線ＣＴ画像を作成する断面の位置を予め指定する。撮影範囲を示す再構成エリアは、Ｘ線ＣＴ画像を作成する断面の位置の指定可能範囲を示すものでもあるので、オペレータは、Ｘ線ＣＴ画像を作成する断面の位置が適正かつ簡単に指定できることとなる。そして、続いて実行されるＸ線ＣＴ撮影において、撮影断面指定手段により指定された断面についてのＸ線ＣＴ画像が作成されることになる。
【００１３】
【発明の実施の形態】
続いて、この発明の一実施例を図面を参照しながら説明する。図１は実施例に係るＸ線ＣＴ装置の全体構成を示すブロック図、図２は実施例で用いられるコーン状Ｘ線ビームを説明するための模式図、図３は実施例のＸ線ＣＴ装置のガントリを示す斜視図、図４は実施例のＸ線ＣＴ装置のＸ線撮像部の動きを示す模式図である。
図１のＸ線ＣＴ装置は、被検体Ｍを載置する天板１と、天板１の上に載置された被検体Ｍへコーン状Ｘ線ビームＣＢを照射するＸ線管２と、被検体Ｍを挟んでＸ線管２に対向配置されている透過Ｘ線検出用のフラットパネル型Ｘ線センサ（Ｘ線面検出器）３とを装備したＸ線撮像部４を備えている。
【００１４】
Ｘ線管２は、図２（ａ）に示すように、Ｘ線源（Ｘ線焦点）２ａの前方にコーン状Ｘ線ビームＣＢの水平断面形状を規定するＸ線遮蔽材製のコリメータ２ｂが配設されていて、実施例では水平断面が正方形の四角錐状のコーン状Ｘ線ビームＣＢが放出される構成となっている。なお、図２（ｂ）に示すように、コーン状Ｘ線ビームＣＢの幅を示すビーム開き角θは、Ｘ線源２ａとコリメータ２ｂのジオメトリー（幾何学的配置関係）により一義的に決まる。フラットパネル型Ｘ線センサ（以下、適宜「パネル型Ｘ線センサ」と略記）３は、詳しくは後述するように多数のＸ線検出素子が縦横に配列された構成となっている広い２次元検出面を有するＸ線面センサである。
【００１５】
さらに、実施例のＸ線ＣＴ装置は、パネル型Ｘ線センサ３の後段に、透過Ｘ線検出データを収集するデータ収集部（ＤＡＳ）５と、データ収集部５により収集された透過Ｘ線検出データを処理してＸ線ＣＴ画像あるいはＸ線透過画像を得るデータ処理部６を備えている他、Ｘ線ＣＴ画像やＸ線透過画像などを映し出す表示モニタ（画像表示手段）７を備えていて、Ｘ線撮像部４がＣＴ撮影モードで駆動された場合は、表示モニタ７の画面にＸ線ＣＴ画像が映し出され、またＸ線撮像部４が透過撮影モードで駆動された場合は、表示モニタ７の画面にＸ線透過画像が映し出されるよう構成されている。
以下、実施例のＸ線ＣＴ装置の各部構成をより具体的に説明する。
【００１６】
天板１は被検体Ｍを載せたままの状態で、天板駆動部８のコントロールにより前後・左右の他、上下に移動させられるよう構成されている。この天板駆動部８は、操作卓９からの操作入力に伴って撮影制御部１０から送出される指令信号に従って天板１の動きをコントロールする。
Ｘ線管２は、高電圧発生器などを含む照射制御部１１のコントロールにより、設定された照射条件でＸ線を被検体Ｍにコーン状Ｘ線ビームＣＢを照射するよう構成されている。照射制御部１１によるコントロールも、操作卓９からの操作入力により撮影制御部１０から送出される指令信号に従って行われる。
【００１７】
また、図３に示すように、Ｘ線撮像部４のＸ線管２の方はガントリ１２のハウジング中に配置されていて見えないが、パネル型Ｘ線センサ３の方はガントリ１２のリング状内側空間１２ａに露出した状態で配置されており、Ｘ線管２から出るＸ線はハウジング内面に周方向に沿って切れ目なく設けられたスリット１２ｂを通して被検体Ｍに照射されることになる。そして、撮像系駆動部１３のコントロールにより、Ｘ線管２およびパネル型Ｘ線センサ３が対向配置状態を維持したままの状態で連動して被検体Ｍの体軸Ｚのまわりを矢印ＲＡ，ＲＢの向きへ移動する構成となっている。
【００１８】
つまり、Ｘ線管２とパネル型Ｘ線センサ３は、図４に示すように、ガントリ１２のハウジング内に配設された回転リング１４に一体的に取り付けられているとともに、モータ（図示省略）から回転力を受けてプーリ１５ａおよびベルト１５ｂが、回転リング１４を矢印ＲＡ，ＲＢの向きへ回転させるのに伴って、Ｘ線管２およびパネル型Ｘ線センサ３が対向配置状態を維持したままで回転リング１４と共に移動するのである。なお、撮像系駆動部１３によるコントロールも、やはり操作卓９からの操作入力により撮影制御部１０から送出される指令信号に従って行われる。
【００１９】
そして、照射制御部１１および撮像系駆動部１３は、ＣＴ撮影モードと透過撮影モードとでＸ線撮像部４の駆動態様が異なるようにＸ線撮像部４をコントロールする。
ＣＴ撮影モードの場合のコントロールでは、Ｘ線管２が被検体Ｍの体軸Ｚの周りを１回転ながらコーン状Ｘ線ビームＣＢを被検体Ｍに連続的に照射するとともに、Ｘ線管２と連動して移動するパネル型Ｘ線センサ３により透過Ｘ線が連続的に検出される。Ｘ線管２の回転に伴って被検体ＭへのＸ線照射角が変わってゆく結果、パネル型Ｘ線センサ３によりＸ線ＣＴ画像の作成に必要な被検体全周からの透過Ｘ線が検出されることとなる。
透過撮影モードの場合のコントロールでは、図４に一点鎖線で示すように、Ｘ線管２とパネル型Ｘ線センサ３が適宜の方向（図４ではラテラル方向）に対向したまま停止した状態で、Ｘ線管２が単発的（もしくは必要に応じて連続的）にコーン状Ｘ線ビームＣＢを被検体Ｍに照射するとともに、パネル型Ｘ線センサ３により１画面分の透過Ｘ線が検出される。
【００２０】
次にデータ処理部６について具体的に説明する。データ処理部６には、ＣＴ撮影モード時にデータ収集部５から送出される（ディジタル信号の）透過Ｘ線検出データを記憶する検出データメモリ６ａと、検出データメモリ６ａに記憶されているデータに基づきＸ線ＣＴ画像作成用の再構成処理を行う画像再構成部６ｂと、画像再構成部６ｂにより作成される所望の断面のＸ線ＣＴ画像を記憶するＣＴ画像メモリ６ｃとが設けられている他に、透過撮影モード時にデータ収集部５から送出される（ディジタル信号の）透過Ｘ線検出データを１枚のＸ線透過画像として記憶する透過画像メモリ６ｄが設けられている。ＣＴ画像メモリ６ｃや透過画像メモリ６ｄに記憶されている画像は適時に読みだされて表示モニタ７の画面に表示される。
【００２１】
さらに、実施例のＸ線ＣＴ装置の場合、データ処理部６には、この発明を特徴づける構成として、透過画像メモリ６ｄのＸ線透過画像にＸ線ＣＴ撮影の際の再構成エリアを重畳表示する再構成エリア重畳部６ｅと、Ｘ線透過画像にＸ線ＣＴ撮影の際のＸ線照射エリアを重畳表示する照射エリア重畳部６ｆが設けられていて、表示モニタ７の画面に被検体ＭのＸ線透過画像が映し出された場合、図５に示すように、再構成エリア重畳部６ｅおよび照射エリア重畳部６ｆにより、再構成エリアＰａとＸ線照射エリアＰｂ１〜Ｐｂ３とがＸ線透過画像に重畳表示されるよう構成されているのである。
【００２２】
再構成エリアＰａは被検体Ｍの全周から照射されるＸ線ビームが全て重なり合う区域であり、照射センターラインＰｃの上のガントリ中心（撮影中心）Ｐｄを中心としてＸ線照射エリアＰｂ１，Ｐｂ２に内接する円の内側全域が再構成エリアとなる。
なお、再構成エリアＰａの大きさは、図２（ｂ）に示すように、コーン状Ｘ線ビームＣＢのビーム開き角θと、Ｘ線源２ａとガントリ中心（撮影中心）Ｐｄの距離によって予め計算で求めることができるので、後は表示モニタ７の画面上でのＸ線透過画像の画像比率に応じた寸法の円を画面に描かれるように構成すれば、再構成エリアＰａを示すことができる。したがって、オペレータは、図５に示す画面を見て、撮影対象の関心部位Ｍａが再構成エリアＰａの内にあるか否を予め簡単に確認できるので、関心部位Ｍａの一部が撮影範囲から外れる心配がなくなる。
【００２３】
Ｘ線照射エリアＰｂ１〜Ｐｂ３も再構成エリアＰａの場合と同様にして表示されており、Ｘ線照射エリアＰｂ１がＸ線ビームを上方から照射した場合の被爆域を示し、Ｘ線照射エリアＰｂ２がＸ線ビームを下方から照射した場合の被爆域を示し、Ｘ線照射エリアＰｂ３がＸ線ビームを側方から照射した場合の被爆域を示す。したがって、オペレータは、図５に示す画面を見て、被検体Ｍの被爆域を予め簡単にチェックできるようになる。
【００２４】
さらに、実施例のＸ線ＣＴ装置は、再構成エリアが重畳表示されたＸ線透過画像の画面上でＸ線ＣＴ画像作成対象の断面の位置を指定する撮影断面指定手段を備えている。すなわち、実施例のＸ線ＣＴ装置の場合、再構成エリアが重畳表示されたＸ線透過画像の画面上において、操作卓９によるカーソル操作によりＸ線ＣＴ画像を作成する断面の位置を指定すると、図６に示すように、操作卓９で指定されたＸ線ＣＴ画像作成対象の断面の位置Ｐｅ１〜Ｐｅ４がＸ線透過画像の画面上にラインとして重畳表示されるとともに、Ｘ線ＣＴ撮影が実行された場合に予め指定された断面の位置Ｐｅ１〜Ｐｅ４のＸ線ＣＴ画像が画像再構成部６ｂにより自動的に作成されるよう構成されているのである。そのためデータ処理部６は、操作卓９で指定されたＸ線ＣＴ画像作成対象の断面の位置Ｐｅ１〜ＰｅをＸ線透過画像の画面上にラインとして重畳表示する指定断面重畳部６ｇを備えている。したがって、オペレータはＸ線透過画像に重畳表示されている再構成エリアＰａの示す指定可能範囲を外れないように注意して操作を行いさえすれば、Ｘ線ＣＴ画像を作成する断面の位置が適正かつ簡単に指定できることになる。
【００２５】
続いて、パネル型Ｘ線センサ３まわりの構成を説明する。図７に示すように、パネル型Ｘ線センサ３におけるＸ線検出素子ＸＤの配列としては、例えば横（ｘ）方向１０２４，縦（ｙ）方向１０２４の正方形マトリックス構成であって、大きさとしては縦５０ｃｍ・横５０ｃｍ程度の寸法のものが挙げられる。
パネル型Ｘ線センサ３は、図８（ａ），（ｂ）に示すように、入射Ｘ線を電荷あるいは光に変換するＸ線変換層１６と、Ｘ線変換層１６で生じた電荷あるいは光を検出する素子が縦横にマトリックス状に配置形成されている検出アレイ層１７との積層構造となっており、図８（ａ）に示す直接変換タイプのセンサと、図８（ｂ）に示す間接変換タイプのセンサとがある。
【００２６】
前者の直接変換タイプの場合、Ｘ線変換層１６が入射Ｘ線を直に電荷に変換するセレン層やＣｄＺｎＴｅ層などからなり、検出アレイ層１７の表面に電荷検出素子１８として表面電極１９に対向形成された電荷収集電極でもって電荷の検出を行いコンデンサＣ１に蓄電するとともに蓄積電荷がＴＦＴ（Thin Film Transister：薄膜トランジスタ) ２０を介して取り出される構成となっていて、各電荷検出素子１８と、その上のＸ線変換層１６の一部分と、コンデンサＣ１およびＴＦＴ２０とで１個のＸ線検出素子ＸＤが形成される。
後者の間接変換タイプの場合、Ｘ線変換層１６が入射Ｘ線を光に変換するシンチレータ層からなり、検出アレイ層１７の表面に光検出素子２１として形成されたフォトダイオードでもって光の検出を行いコンデンサＣ１に蓄電するとともに、蓄積電荷がＴＦＴ２０を介して取り出される構成となっていて、各光検出素子２１と、その上のＸ線変換層１６の一部分と、コンデンサＣ１とおよびＴＦＴ２０とで１個のＸ線検出素子ＸＤが形成される。
【００２７】
さらに、図９に示すように、各Ｘ線検出素子ＸＤの薄膜トランジスタ２０のソースがＸ方向の読出し配線２２に接続され、ゲートがＹ方向の読出し配線２３に接続されている。読出し配線２２はプリアンプ群２４を介してマルチプレクサ２５に接続されているとともに、読出し配線２３はゲートドライバ２６に接続されている。そして、マルチプレクサ２５およびゲートドライバ２６へキャリア取り出し用の走査信号が送り込まれることになる。パネル型Ｘ線センサ３の各Ｘ線検出素子ＸＤの特定は、Ｘ方向・Ｙ方向の配列に沿って各Ｘ線検出素子ＸＤへ順番に割り付けられているアドレス（例えば０〜１０２３）に基づいて行われるので、取り出し用の走査信号は、それぞれＸ方向アドレスまたはＹ方向アドレスを指定する信号となる。
【００２８】
Ｙ方向の走査信号に従ってゲートドライバー２６からＹ方向の読出し配線２３に対し取り出し用の電圧が印加されるのに伴い、各Ｘ線検出素子ＸＤが列単位で選択される。そして、Ｘ方向の走査信号に従ってマルチプレクサ２５が切替えられることにより、選択された列のＸ線検出素子ＸＤのコンデンサＣ１に蓄積されたキャリア（電子またはキャリア）が順にプリアンプ群２４およびマルチプレクサ２５を経由して、ＡＤ変換部２７でディジタル化された後、透過Ｘ線検出信号として出力される。
上のことから、パネル型Ｘ線センサ３からのキャリアの取り出し方式は、概ね通常のＴＶカメラなどの映像機器に類似の構成であり、プリアンプ群２４、マルチプレクサ２５、ゲートドライバ２６およびＡＤ変換部２７などがデータ収集部５を構成していることになる。
【００２９】
なお、実施例のＸ線ＣＴ装置には他に、Ｘ線ＣＴ画像あるいはＸ線透過画像をフィルムに焼き付けてＸ線写真として出力するレザー式の画像焼付け器（図示省略）や、Ｘ線ＣＴ画像あるいはＸ線透過画像を画像信号のかたちのままで保存する画像保存メモリ（図示省略）なども必要に応じて装備される。
【００３０】
続いて、上述した構成を有する実施例のＸ線ＣＴ装置によりＸ線撮影を実行する時の装置動作を図面を参照しながら説明する。図１０は、実施例のＸ線ＣＴ装置によるＸ線撮影の状況を経時的に示すフローチャートである。
〔ステップＳ１〕被検体Ｍを天板１の上に載せた後、天板１を移動して被検体Ｍをガントリ１２の撮影位置へセット。
【００３１】
〔ステップＳ２〕Ｘ線撮像部４を透過撮影モードで駆動してラテラル方向からコーン状Ｘ線ビームＣＢを被検体Ｍに照射しＸ線透過画像を得るとともに、図１１に示すように、表示モニタ７の画面に再構成エリアＰａを重畳表示したＸ線透過画像を映し出す。
【００３２】
〔ステップＳ３〕表示モニタ７の画面上で被検体Ｍの関心部位Ｍａが再構成エリアＰａの内側であるか否かをチェックする。図１１に示すように、関心部位Ｍａが再構成エリアＰａから外れている場合は、被検体Ｍを少し移動させてからステップＳ２へ戻る。そして、図５に示すように、関心部位Ｍａが再構成エリアＰａの内側にある場合はステップＳ４へ進む。
【００３３】
〔ステップＳ４〕操作卓９によるカソール操作により、図６に示すように、Ｘ線ＣＴ画像作成対象の断面の位置Ｐｅ１〜Ｐｅ４を指定する。
【００３４】
〔ステップＳ５〕操作卓９の操作によりＸ線ＣＴ撮影を開始する。
【００３５】
〔ステップＳ６〕Ｘ線撮像部４をＣＴ撮影モードで駆動してＸ線ＣＴ撮影を実行する。
【００３６】
〔ステップＳ７〕パネル型Ｘ線センサ３から出力されるＸ線検出データに基づき画像再構成部６にてデータ処理が行われ、予め指定された断面の位置Ｐｅ１〜ＰｅのＸ線ＣＴ画像が作成されて表示モニタ７の画面に映し出される。
【００３７】
〔ステップＳ８〕次に撮影する関心部位があれば、天板１を移動して被検体Ｍの関心部位ををガントリ１２の撮影位置へセットしてからステップＳ２へ戻る。撮影する関心部位が無ければＸ線撮影は終了となる。
【００３８】
この発明は上記実施の形態に限られることはなく、下記のように変形実施することができる。
（１）実施例の装置の場合、透過Ｘ線モードでは被検体Ｍの側方（ラテラル方向）からコーン状Ｘ線ビームを照射してＸ線透過画像を得て再構成エリアと一緒に表示する構成であったが、再構成エリアと一緒に表示するＸ線透過画像はコーン状Ｘ線ビームを被検体Ｍの側方から照射して得る画像に限られるものではない。例えば、コーン状Ｘ線ビームを被検体Ｍの上方から照射して、図１２に示すように、表示モニタ７の画面に被検体Ｍの正面から撮影したＸ線透過画像を再構成エリアＰａと重畳表示することもできる装置が、変形例として挙げられる。
【００３９】
（２）実施例では、関心部位ＭａがひとつのＸ線透過画像に納まる大きさであったが、関心部位ＭａがひとつのＸ線透過画像に納まらない大きさの場合、図１３に示すように、オーバーラップないし隣接する２か所で透過撮影モードによるＸ線透過画像をそれぞれ得るとともに、二つのＸ線透過画像の主要部分を結合して表示モニタ７の画面に再構成エリアと一緒に映し出して、関心部位Ｍａと再構成エリアＰａとの関係をチェックすることもできる構成となっている装置が、変形例として挙げられる。
【００４０】
（３）この発明のＸ線ＣＴ装置のＸ線面検出器はフラットパネル型Ｘ線センサに限られるものではない。
【００４１】
【発明の効果】
以上に詳述したように、請求項１の発明に係るＸ線ＣＴ装置によれば、Ｘ線ＣＴ撮影の際の再構成エリアが重畳表示された被検体のＸ線透過画像が画像表示手段に映し出される構成を備えているので、Ｘ線ＣＴ撮影を始める前に、撮影対象の関心部位が再構成エリアの中にあることを画像の上で予め確認してからＸ線ＣＴ撮影に取りかかれるようになる結果、所望の断面のＸ線ＣＴ画像を確実に得ることができる。
【００４２】
また、請求項２の発明のＸ線ＣＴ装置によれば、Ｘ線ＣＴ画像を作成する断面の位置の指定可能範囲を示す再構成エリアが重畳表示されたＸ線透過画像の画面上で、Ｘ線ＣＴ画像を作成する断面の位置の指定が行える構成を備えており、オペレータは、再構成エリアを目印にしてＸ線ＣＴ画像を作成する断面の位置を適正かつ簡単に指定できる。
【図面の簡単な説明】
【図１】実施例のＸ線ＣＴ装置の全体構成を示すブロック図である。
【図２】実施例で用いられるコーン状Ｘ線ビームを説明するための模式図である。
【図３】実施例のＸ線ＣＴ装置のガントリを示す斜視図である。
【図４】実施例のＸ線ＣＴ装置のＸ線撮像部の動きを示す模式図である。
【図５】実施例において再構成エリアが重畳表示されたＸ線透過画像を示す図である。
【図６】実施例においてＸ線ＣＴ画像作成対象として指定された断面の位置が重畳表示されたＸ線透過画像を示す図である。
【図７】実施例で使われているパネル型Ｘ線センサの基本構成を示す平面図である。
【図８】パネル型Ｘ線センサの層構造を示す断面図である。
【図９】パネル型Ｘ線センサまわりの構成を示すブロック図である。
【図１０】実施例装置によるＸ線撮影の状況を経時的に示すフローチャートである。
【図１１】実施例における透過撮影モードにより撮影したＸ線透過画像を示す図である。
【図１２】Ｘ線を上方から照射した時のＸ線透過画像を示す図である。
【図１３】被検体の異なる２か所のＸ線透過画像を結合した画像を示す図である。
【図１４】従来装置の撮像系の概略構成を示す模式図である。
【符号の説明】
１              …天板
２              …Ｘ線管
３              …フラットパネル型Ｘ線センサ（Ｘ線面検出器）
４              …Ｘ線撮像部
６ａ            …画像再構成部
７              …表示モニタ
６              …データ処理部
６ｂ            …画像再構成部
６ｄ            …透過画像メモリ
６ｅ            …再構成エリア重畳部
６ｇ            …指定断面位置重畳部
ＣＢ            …コーン状Ｘ線ビーム
Ｍ              …被検体
Ｐａ            …再構成エリア
Ｐｅ１〜Ｐｅ４  …断面の位置
ＸＤ            …Ｘ線検出素子
【図１】
0004277359.tif 000002
【図２】
0004277359.tif 000003
【図３】
0004277359.tif 000004
【図４】
0004277359.tif 000005
【図５】
0004277359.tif 000006
【図６】
0004277359.tif 000007
【図７】
0004277359.tif 000008
【図８】
0004277359.tif 000009
【図９】
0004277359.tif 000010
【図１０】
0004277359.tif 000011
【図１１】
0004277359.tif 000012
【図１２】
0004277359.tif 000013
【図１３】
0004277359.tif 000014
【図１４】
0004277359.tif 000015